(57)【特許請求の範囲】
【請求項１】
基地局（ＢＳ）によって、第１のメッセージを送信することであって、該第１のメッセージは、該ＢＳへの複数のユーザ機器（ＵＥ）の競合伝送のために該複数のＵＥへの第１の複数のチャネル・サブセットの第１の割当を示す情報を含み、該第１の割当は、１つ以上のＵＥが上りリンク伝送のためのチャネルへのアクセスを要求するために送信され、各ＵＥには、それぞれのＵＥが競合ベースのメカニズムを用いて該ＵＥに割り当られたチャネル・サブセット内のチャネルを競合することができるように、チャネル・サブセットが割り当てられ、各チャネル・サブセットはゼロ個以上のチャネルを含み、該第１の複数のチャネル・サブセットはアンライセンス周波数スペクトルにおいて複数のチャネルを含む、送信することと、
前記ＢＳによって、前記第１のメッセージの受信に応答して前記複数のＵＥによって送信された１つ以上の要求を受信することであって、各要求は、ＵＥが上りリンク伝送のために前記複数のチャネル内のチャネルにアクセスすることを要求することを示す、受信することと、
前記ＢＳによって、前記複数のＵＥに第２のメッセージを送信することであって、該第２のメッセージは、少なくとも１つのＵＥが前記第２のメッセージに従って割り当られたチャネルを介して前記ＢＳと通信するために、前記複数のＵＥへの前記複数のチャネルの第２の割当を示し、該第２の割当は、前記１つ以上の要求に少なくとも部分的に基づいて決定される、送信することと、を含む方法。
【請求項２】
前記第１のメッセージが、物理下りリンク制御チャネル（ＰＤＣＣＨ）、物理下りリンク共用チャネル（ＰＤＳＣＨ）、ブロードキャスト・チャネル、またはそれらの組み合わせにおいて送信される、請求項１に記載の方法。
【請求項３】
前記第１のメッセージが、ライセンス・キャリア、アンライセンス・キャリア、またはそれらの組み合わせにおいて送信される、請求項１に記載の方法。
【請求項４】
前記第１のメッセージが、無線リソース制御（ＲＲＣ）シグナリングまたは媒体アクセス制御制御要素（ＭＡＣ−ＣＥ）シグナリングにおいて送信される、請求項１に記載の方法。
【請求項５】
前記第１のメッセージは、前記競合ベースのメカニズムを用いて前記ＵＥの割り当られたチャネル・サブセット内のチャネルに競合してアクセスするためのＵＥの優先度レベル情報を含む、請求項１に記載の方法。
【請求項６】
前記優先度レベル情報は、リスン・ビフォア・トーク閾値、アクセス優先度レベル、または競合ウィンドウ・パラメータを含む、請求項５に記載の方法。
【請求項７】
前記第１のメッセージは、ＵＥが前記複数のチャネルのうちの少なくとも１つの下りリンク・チャネル品質測定を実行するための情報を含む、請求項１に記載の方法。
【請求項８】
前記第２のメッセージを送信する前に、前記ＵＥのうちの１つ以上のＵＥが、割り当られたチャネルを介して前記ＢＳと通信するための１つ以上の要求を送信するＵＥへのチャネルの割り当てを決定することをさらに含む、請求項１に記載の方法。
【請求項９】
前記第２のメッセージを送信する前に、前記ＢＳによって、第３のメッセージを送信することであって、該第３のメッセージは、前記ＢＳとの前記ＵＥの競合伝送のために、前記ＵＥへの第２の複数のチャネル・サブセットの第３の割当を示す情報を含み、各ＵＥには、それぞれのＵＥが、競合ベースのメカニズムを用いて該ＵＥに割り当られたチャネル・サブセット内のチャネルに競合してアクセスすることができるように、チャネル・サブセットが割り当てられ、前記第２の複数のチャネル・サブセットは前記複数のチャネルを含む、送信することと、
前記複数のＵＥのうちのＵＥからの要求を受信し、該要求は、前記ＢＳとの通信のために前記複数のチャネル内のチャネルへのアクセスを要求し、前記ＵＥは、前記ＢＳに前記１つ以上の要求を送信したＵＥとは異なる、受信することと、をさらに含む、請求項８に記載の方法。
【請求項１０】
前記ＢＳによって、ＵＥからの伝送を受信することであって、該伝送は、前記第２のメッセージに従って該ＵＥに割り当られたチャネルにおいて該ＵＥによって送信されている、受信することをさらに含む、請求項１に記載の方法。
【請求項１１】
前記１つ以上の要求における第１の要求は、第１のＵＥが前記第１のメッセージに従って該第１のＵＥに割り当られたチャネル・サブセット内の第１のチャネルへのアクセスを要求することを示し、該第１のチャネルは前記競合ベースのメカニズムを用いて該第１のＵＥによって選択されており、前記第２のメッセージは該第１のＵＥへの該第１のチャネルの割り当てを示す、請求項１に記載の方法。
【請求項１２】
前記１つ以上の要求における第１の要求は、第１のＵＥが前記第１のメッセージに従って該第１のＵＥに割り当られたチャネル・サブセット内の第１のチャネルへのアクセスを要求することを示し、前記第１のチャネルは前記競合ベースのメカニズムを用いて該第１のＵＥによって選択されており、前記第２のメッセージは該第１のＵＥへの第２のチャネルの割り当てを示し、前記第２のチャネルは前記第１のチャネルとは異なる、請求項１に記載の方法。
【請求項１３】
前記第２のチャネルは、前記第１のＵＥによって送信されたチャネル品質測定レポートに少なくとも部分的に従って割り当てられ、該チャネル品質測定レポートは、前記第２のチャネルのチャネル品質情報を含む、請求項１２に記載の方法。
【請求項１４】
前記ＢＳによって受信される要求は、前記複数のチャネル内の少なくとも１つのチャネルに関するチャネル品質測定レポートを含む、請求項１に記載の方法。
【請求項１５】
ユーザ機器（ＵＥ）によって、基地局（ＢＳ）への複数のＵＥの競合伝送のために該複数のＵＥへの複数のチャネル・サブセットの第１の割当を示す情報を含む第１のメッセージを受信することであって、該第１の割当は、該ＢＳによって、１つ以上のＵＥが上りリンク伝送のためのチャネルへのアクセスを要求するために送信され、各ＵＥには、競合ベースのメカニズムを用いて該ＵＥに割り当られたチャネル・サブセット内のチャネルに競合してアクセスすることができるように、チャネル・サブセットが割り当てられ、各チャネル・サブセットはゼロ個以上のチャネルを含み、各チャネル・サブセットは互いに異なる少なくとも１つのチャネルを含み、該複数のチャネル・サブセットは、アンライセンス周波数スペクトルにおける複数のチャネルを含む、受信することと、
前記ＵＥによって、前記第１のメッセージの受信に応答して前記ＢＳに要求を送信することであって、該要求は、前記ＵＥが前記第１のメッセージに従って前記ＵＥに割り当てられた第１のチャネル・サブセット内の第１のチャネルへのアクセスを要求することを示す、送信することと、
前記ＵＥによって、前記ＢＳからの第２のメッセージを受信することであって、該第２のメッセージは、少なくとも１つのＵＥが前記第２のメッセージに従って割り当てられたチャネルを介して前記ＢＳと通信するために前記複数のＵＥへの前記複数のチャネルの第２の割当を示す、受信することと、を含む方法。
【請求項１６】
前記第１のメッセージが、物理下りリンク制御チャネル（ＰＤＣＣＨ）、物理下りリンク共用チャネル（ＰＤＳＣＨ）、ブロードキャスト・チャネル、またはそれらの組み合わせにおいて受信される、請求項１５に記載の方法。
【請求項１７】
前記第１のメッセージが、ライセンス・キャリア、アンライセンス・キャリア、またはそれらの組み合わせにおいて受信される、請求項１５に記載の方法。
【請求項１８】
前記第１のメッセージが、無線リソース制御（ＲＲＣ）シグナリングまたは媒体アクセス制御制御要素（ＭＡＣ−ＣＥ）シグナリングにおいて受信される、請求項１５に記載の方法。
【請求項１９】
前記第１のメッセージは、前記ＵＥが、前記ＵＥに割り当られた前記第１のチャネル・サブセット内のチャネルに競合してアクセスするための前記ＵＥの優先度レベル情報を含み、該優先度レベル情報は、リスン・ビフォア・トーク閾値、アクセス優先度レベル、または競合ウィンドウ・パラメータを含む、請求項１５に記載の方法。
【請求項２０】
前記第１のメッセージは、前記ＵＥが前記複数のチャネルのうちの少なくとも１つの下りリンク・チャネル品質測定を実行するための情報を含む、請求項１５に記載の方法。
【請求項２１】
前記要求は、前記複数のチャネルのうちの少なくとも１つのチャネル品質測定レポートを含む、請求項１５に記載の方法。
【請求項２２】
前記第２のメッセージは、前記第１のチャネルが前記ＵＥに割り当られることを示す、請求項１５に記載の方法。
【請求項２３】
前記第２のメッセージは、第２のチャネルが前記ＵＥに割り当てられることを示し、前記第２のチャネルは前記第１のチャネルとは異なる、請求項１５に記載の方法。
【請求項２４】
前記ＵＥによって、前記第２のメッセージに従って割り当られたチャネルにおいて前記ＢＳに上りリンク伝送を送信することをさらに含み、該チャネルは前記ＵＥによって送信された前記要求に少なくとも部分的に基づいて割り当てられる、請求項１５に記載の方法。
【請求項２５】
命令を含む非一時的なメモリ・ストレージと、
前記メモリ・ストレージと通信している１つ以上のプロセッサと、を含み、該１つ以上のプロセッサが該命令を実行して、
第１のメッセージを送信することであって、該第１のメッセージは、複数のユーザ機器（ＵＥ）の競合伝送のために該複数のＵＥへの第１の複数のチャネル・サブセットの第１の割当を示す情報を含み、該第１の割当は１つ以上のＵＥが上りリンク伝送のためのチャネルへのアクセスを要求するために送信され、各ＵＥには、それぞれのＵＥが競合ベースのメカニズムを用いて該ＵＥに割り当てられたチャネル・サブセット内のチャネルを競合することができるように、チャネル・サブセットが割り当てられ、各チャネル・サブセットはゼロ個以上のチャネルを含み、各チャネル・サブセットは互いに異なる少なくとも１つのチャネルを含み、該第１の複数のチャネル・サブセットはアンライセンス周波数スペクトルにおける複数のチャネルを含む、送信することと、
前記第１のメッセージの受信に応答して前記複数のＵＥによって送信された１つ以上の要求を受信することであって、各要求は、ＵＥが上りリンク伝送のために前記複数のチャネル内のチャネルへのアクセスを要求することを示す、受信することと、
前記複数のＵＥに第２のメッセージを送信することであって、該第２のメッセージは、少なくとも１つのＵＥが前記第２のメッセージに従って割り当てられたチャネルを介して上りリンク伝送を実行するために、前記複数のＵＥへの前記複数のチャネルの第２の割当を示し、該第２の割当は、前記１つ以上の要求に少なくとも部分的に基づいて決定される、送信することと、をする、装置。
【請求項２６】
前記第１のメッセージが、物理下りリンク制御チャネル（ＰＤＤＣＨ）、物理下りリンク共用チャネル（ＰＤＳＣＨ）、ブロードキャスト・チャネル、またはそれらの組み合わせにおいて送信される、請求項２５に記載の装置。
【請求項２７】
前記第１のメッセージが、ライセンス・キャリア、アンライセンス・キャリア、またはそれらの組み合わせにおいて送信される、請求項２５に記載の装置。
【請求項２８】
前記第１のメッセージが、無線リソース制御（ＲＲＣ）シグナリングまたは媒体アクセス制御制御要素（ＭＡＣ−ＣＥ）シグナリングにおいて送信される、請求項２５に記載の装置。
【請求項２９】
前記１つ以上の要求における第１の要求は、第１のＵＥが前記第１のメッセージに従って該第１のＵＥに割り当てられたチャネル・サブセット内にある第１のチャネルへのアクセスを要求することを示し、前記第１のチャネルは前記競合ベースのメカニズムを用いて選択され、前記第２のメッセージは前記第１のＵＥへの前記第１のチャネルの割り当てを示す、請求項２５に記載の装置。
【請求項３０】
前記１つ以上の要求における第１の要求は、第１のＵＥが前記第１のメッセージに従って該第１のＵＥに割り当られたチャネル・サブセット内にある第１のチャネルへのアクセスを要求することを示し、前記第１のチャネルは前記競合ベースのメカニズムを用いて選択され、前記第２のメッセージは前記第１のＵＥへの第２のチャネルの割当を示し、前記第２のチャネルは前記第１のチャネルとは異なる、請求項２５に記載の装置。
【請求項３１】
命令を含む非一時的なメモリ・ストレージと、
前記メモリ・ストレージと通信している１つ以上のプロセッサと、を含み、該１つ以上のプロセッサが該命令を実行して、
基地局（ＢＳ）との複数のユーザ機器（ＵＥ）の競合伝送のために複数のＵＥへの複数のチャネル・サブセットの割り当てを示す情報を含む第１のメッセージを受信することであって、該第１のメッセージは、該ＢＳによって、１つ以上のＵＥが上りリンク伝送のためのチャネルへのアクセスを要求するために送信され、各ＵＥには、競合ベースのメカニズムを用いて該ＵＥに割り当られたチャネル・サブセット内のチャネルに競合してアクセスすることができるように、チャネル・サブセットが割り当てられ、各チャネル・サブセットはゼロ個以上のチャネルを含み、各チャネル・サブセットは互いに異なる少なくとも１つのチャネルを含み、該複数のチャネル・サブセットは、アンライセンス周波数スペクトルにおける複数のチャネルを含む、受信することと、
前記第１のメッセージの受信に応答して前記ＢＳに要求を送信することであって、該要求は、前記ＵＥが前記第１のメッセージに従って前記ＵＥに割り当てられた第１のチャネル・サブセット内の第１のチャネルへのアクセスを要求することを示す、送信することと、
前記ＢＳからの第２のメッセージを受信することであって、該第２のメッセージは、少なくとも１つのＵＥが割り当てられたチャネルを介して前記ＢＳと通信するために前記複数のＵＥへの前記複数のチャネルの割り当てを示す、受信することと、をする、装置。
【請求項３２】
前記第１のメッセージが、物理下りリンク制御チャネル（ＰＤＣＣＨ）、物理下りリンク共用チャネル（ＰＤＳＣＨ）、ブロードキャスト・チャネル、またはそれらの組み合わせにおいて受信される、請求項３１に記載の装置。
【請求項３３】
前記第１のメッセージが、ライセンス・キャリア、アンライセンス・キャリア、またはそれらの組み合わせにおいて受信される、請求項３１に記載の装置。
【請求項３４】
前記第１のメッセージが、無線リソース制御（ＲＲＣ）シグナリングまたは媒体アクセス制御制御要素（ＭＡＣ−ＣＥ）シグナリングにおいて受信される、請求項３１に記載の装置。
【発明の詳細な説明】
【技術分野】
【０００１】
この出願は、「Ｓｙｓｔｅｍ  ａｎｄ  Ｍｅｔｈｏｄ  ｆｏｒ  ＵＥ  Ｒａｎｄｏｍ  Ａｃｃｅｓｓ  ｏｖｅｒ  Ｗｉｄｅ  Ｂａｎｄｗｉｄｔｈ  ｗｉｔｈ  Ｓｕｂｓｅｔ  Ｒｅｓｔｒｉｃｔｉｏｎ」と題する、２０１７年７月２６日に出願された米国非仮特許出願第１５／６６０，７６９号に対する優先権を主張し、その全体が複製されたかのように参照により本明細書に組み込まれている。
【０００２】
本開示は、概して、無線通信に関し、特定の実施形態において、サブセット制限を伴う広帯域でのＵＥランダム・アクセスのためのシステムおよび方法のための技術およびメカニズムに関する。
【背景技術】
【０００３】
単一チャネルまたはキャリアにおいて次世代ノードＢ（ｇＮＢ）とのユーザ機器の競合ベースの伝送において、ＵＥは、キャリア検知多重アクセス（ＣＳＭＡ）スキームを用いて、チャネルが利用可能かどうかを決定し、ｇＮＢと通信するためにチャネルを予約することがある。
【発明の概要】
【０００４】
技術的利点は、概して、サブセット制限を伴う広帯域でのＵＥランダム・アクセスのためのシステムおよび方法を説明するこの開示の実施形態によって達成される。
【０００５】
本開示の一態様によれば、基地局（ＢＳ）によって、第１のメッセージを送信することであって、該第１のメッセージは、該ＢＳへの複数のユーザ機器（ＵＥ）の競合伝送のために該複数のＵＥへの第１の複数のチャネル・サブセットの第１の割当を示す情報を含み、該第１の割当は、１つ以上のＵＥが上りリンク伝送のためのチャネルへのアクセスを要求するために送信され、各ＵＥには、それぞれのＵＥが競合ベースのメカニズムを用いて該ＵＥに割り当られたチャネル・サブセット内のチャネルを競合することができるように、チャネル・サブセットが割り当てられ、各チャネル・サブセットはゼロ個以上のチャネルを含み、該第１の複数のチャネル・サブセットはアンライセンス周波数スペクトルにおいて複数のチャネルを含む、送信することと、前記ＢＳによって、前記第１のメッセージの受信に応答して前記複数のＵＥによって送信された１つ以上の要求を受信することであって、各要求は、ＵＥが上りリンク伝送のために前記複数のチャネル内のチャネルにアクセスすることを要求することを示す、受信することと、前記ＢＳによって、前記複数のＵＥに第２のメッセージを送信することであって、該第２のメッセージは、少なくとも１つのＵＥが前記第２のメッセージに従って割り当られたチャネルを介して前記ＢＳと通信するために、前記複数のＵＥへの前記複数のチャネルの第２の割当を示し、該第２の割当は、前記１つ以上の要求に少なくとも部分的に基づいて決定される、送信することと、を含む方法が提供される。
【０００６】
任意には、前述の態様において、前記第１のメッセージが、物理下りリンク制御チャネル（ＰＤＣＣＨ）、物理下りリンク共用チャネル（ＰＤＳＣＨ）、ブロードキャスト・チャネル、またはそれらの組み合わせにおいて送信される。
【０００７】
任意には、前述の態様のいずかにおいて、前記第１のメッセージが、ライセンス・キャリア、アンライセンス・キャリア、またはそれらの組み合わせにおいて送信される。
【０００８】
任意には、前述の態様のいずかにおいて、前記第１のメッセージが、無線リソース制御（ＲＲＣ）シグナリングまたは媒体アクセス制御制御要素（ＭＡＣ−ＣＥ）シグナリングにおいて送信される。
【０００９】
任意には、前述の態様のいずかにおいて、前記第１のメッセージは、前記競合ベースのメカニズムを用いて前記ＵＥの割り当られたチャネル・サブセット内のチャネルに競合してアクセスするためのＵＥの優先度レベル情報を含む。
【００１０】
任意には、前述の態様のいずかにおいて、前記優先度レベル情報は、リスン・ビフォア・トーク閾値、アクセス優先度レベル、または競合ウィンドウ・パラメータを含む。
【００１１】
任意には、前述の態様のいずかにおいて、前記第１のメッセージは、ＵＥが前記複数のチャネルのうちの少なくとも１つの下りリンク・チャネル品質測定を実行するための情報を含む。
【００１２】
任意には、前述の態様のいずかにおいて、方法は、前記第２のメッセージを送信する前に、前記ＵＥのうちの１つ以上のＵＥが、割り当られたチャネルを介して前記ＢＳと通信するための１つ以上の要求を送信するＵＥへのチャネルの割り当てを決定することをさらに含む。
【００１３】
任意には、前述の態様のいずかにおいて、方法は、前記第２のメッセージを送信する前に、前記ＢＳによって、第３のメッセージを送信することであって、該第３のメッセージは、前記ＢＳとの前記ＵＥの競合伝送のために、前記ＵＥへの第２の複数のチャネル・サブセットの第３の割当を示す情報を含み、各ＵＥには、それぞれのＵＥが、競合ベースのメカニズムを用いて該ＵＥに割り当られたチャネル・サブセット内のチャネルに競合してアクセスすることができるように、チャネル・サブセットが割り当てられ、前記第２の複数のチャネル・サブセットは前記複数のチャネルを含む、送信することと、前記複数のＵＥのうちのＵＥからの要求を受信し、該要求は、前記ＢＳとの通信のために前記複数のチャネル内のチャネルへのアクセスを要求し、前記ＵＥは、前記ＢＳに前記１つ以上の要求を送信したＵＥとは異なる、受信することと、をさらに含む。
【００１４】
任意には、前述の態様のいずかにおいて、方法は、前記ＢＳによって、ＵＥからの伝送を受信することであって、該伝送は、前記第２のメッセージに従って該ＵＥに割り当られたチャネルにおいて該ＵＥによって送信されている、受信することをさらに含む。
【００１５】
任意には、前述の態様のいずかにおいて、前記１つ以上の要求における第１の要求は、第１のＵＥが前記第１のメッセージに従って該第１のＵＥに割り当られたチャネル・サブセット内の第１のチャネルへのアクセスを要求することを示し、該第１のチャネルは前記競合ベースのメカニズムを用いて該第１のＵＥによって選択されており、前記第２のメッセージは該第１のＵＥへの該第１のチャネルの割り当てを示す。
【００１６】
任意には、前述の態様のいずかにおいて、前記１つ以上の要求における第１の要求は、第１のＵＥが前記第１のメッセージに従って該第１のＵＥに割り当られたチャネル・サブセット内の第１のチャネルへのアクセスを要求することを示し、前記第１のチャネルは前記競合ベースのメカニズムを用いて該第１のＵＥによって選択されており、前記第２のメッセージは該第１のＵＥへの第２のチャネルの割り当てを示し、前記第２のチャネルは前記第１のチャネルとは異なる。
【００１７】
任意には、前述の態様のいずかにおいて、前記第２のチャネルは、前記第１のＵＥによって送信されたチャネル品質測定レポートに少なくとも部分的に従って割り当てられ、該チャネル品質測定レポートは、前記第２のチャネルのチャネル品質情報を含む。
【００１８】
任意には、前述の態様のいずかにおいて、前記ＢＳによって受信される要求は、前記複数のチャネル内の少なくとも１つのチャネルに関するチャネル品質測定レポートを含む。
【００１９】
本開示の他の態様によれば、ユーザ機器（ＵＥ）によって、基地局（ＢＳ）への複数のＵＥの競合伝送のために該複数のＵＥへの複数のチャネル・サブセットの第１の割当を示す情報を含む第１のメッセージを受信することであって、該第１の割当は、該ＢＳによって、１つ以上のＵＥが上りリンク伝送のためのチャネルへのアクセスを要求するために送信され、各ＵＥには、競合ベースのメカニズムを用いて該ＵＥに割り当られたチャネル・サブセット内のチャネルに競合してアクセスすることができるように、チャネル・サブセットが割り当てられ、各チャネル・サブセットはゼロ個以上のチャネルを含み、各チャネル・サブセットは互いに異なる少なくとも１つのチャネルを含み、該複数のチャネル・サブセットは、アンライセンス周波数スペクトルにおける複数のチャネルを含む、受信することと、前記ＵＥによって、前記第１のメッセージの受信に応答して前記ＢＳに要求を送信することであって、該要求は、前記ＵＥが前記第１のメッセージに従って前記ＵＥに割り当てられた第１のチャネル・サブセット内の第１のチャネルへのアクセスを要求することを示す、送信することと、前記ＵＥによって、前記ＢＳからの第２のメッセージを受信することであって、該第２のメッセージは、少なくとも１つのＵＥが前記第２のメッセージに従って割り当てられたチャネルを介して前記ＢＳと通信するために前記複数のＵＥへの前記複数のチャネルの第２の割当を示す、受信することと、を含む方法が提供される。
【００２０】
任意には、前述の態様のいずれかにおいて、前記第１のメッセージが、物理下りリンク制御チャネル（ＰＤＣＣＨ）、物理下りリンク共用チャネル（ＰＤＳＣＨ）、ブロードキャスト・チャネル、またはそれらの組み合わせにおいて受信される。
【００２１】
任意には、前述の態様のいずれかにおいて、前記第１のメッセージが、ライセンス・キャリア、アンライセンス・キャリア、またはそれらの組み合わせにおいて受信される。
【００２２】
任意には、前述の態様のいずれかにおいて、前記第１のメッセージが、無線リソース制御（ＲＲＣ）シグナリングまたは媒体アクセス制御制御要素（ＭＡＣ−ＣＥ）シグナリングにおいて受信される。
【００２３】
任意には、前述の態様のいずれかにおいて、前記第１のメッセージは、前記ＵＥが、前記ＵＥに割り当られた前記第１のチャネル・サブセット内のチャネルに競合してアクセスするための前記ＵＥの優先度レベル情報を含み、該優先度レベル情報は、リスン・ビフォア・トーク閾値、アクセス優先度レベル、または競合ウィンドウ・パラメータを含む。
【００２４】
任意には、前述の態様のいずれかにおいて、前記第１のメッセージは、前記ＵＥが前記複数のチャネルのうちの少なくとも１つの下りリンク・チャネル品質測定を実行するための情報を含む。
【００２５】
任意には、前述の態様のいずれかにおいて、前記要求は、前記複数のチャネルのうちの少なくとも１つのチャネル品質測定レポートを含む。
【００２６】
任意には、前述の態様のいずれかにおいて、前記第２のメッセージは、前記第１のチャネルが前記ＵＥに割り当られることを示す。
【００２７】
任意には、前述の態様のいずれかにおいて、前記第２のメッセージは、第２のチャネルが前記ＵＥに割り当てられることを示し、前記第２のチャネルは前記第１のチャネルとは異なる。
【００２８】
任意には、前述の態様のいずれかにおいて、前記ＵＥによって、前記第２のメッセージに従って割り当られたチャネルにおいて前記ＢＳに上りリンク伝送を送信することをさらに含み、該チャネルは前記ＵＥによって送信された前記要求に少なくとも部分的に基づいて割り当てられる。
【００２９】
本開示のさらに別の態様によれば、命令を含む非一時的なメモリ・ストレージと、前記メモリ・ストレージと通信している１つ以上のプロセッサと、を含み、該１つ以上のプロセッサが該命令を実行して、第１のメッセージを送信することであって、該第１のメッセージは、複数のユーザ機器（ＵＥ）の競合伝送のために該複数のＵＥへの第１の複数のチャネル・サブセットの第１の割当を示す情報を含み、該第１の割当は１つ以上のＵＥが上りリンク伝送のためのチャネルへのアクセスを要求するために送信され、各ＵＥには、それぞれのＵＥが競合ベースのメカニズムを用いて該ＵＥに割り当てられたチャネル・サブセット内のチャネルを競合することができるように、チャネル・サブセットが割り当てられ、各チャネル・サブセットはゼロ個以上のチャネルを含み、各チャネル・サブセットは互いに異なる少なくとも１つのチャネルを含み、該第１の複数のチャネル・サブセットはアンライセンス周波数スペクトルにおける複数のチャネルを含む、送信することと、前記第１のメッセージの受信に応答して前記複数のＵＥによって送信された１つ以上の要求を受信することであって、各要求は、ＵＥが上りリンク伝送のために前記複数のチャネル内のチャネルへのアクセスを要求することを示す、受信することと、前記複数のＵＥに第２のメッセージを送信することであって、該第２のメッセージは、少なくとも１つのＵＥが前記第２のメッセージに従って割り当てられたチャネルを介して上りリンク伝送を実行するために、前記複数のＵＥへの前記複数のチャネルの第２の割当を示し、該第２の割当は、前記１つ以上の要求に少なくとも部分的に基づいて決定される、送信することと、をする、装置が提供される。
【００３０】
任意には、前述の態様のいずれかにおいて、前記第１のメッセージが、物理下りリンク制御チャネル（ＰＤＤＣＨ）、物理下りリンク共用チャネル（ＰＤＳＣＨ）、ブロードキャスト・チャネル、またはそれらの組み合わせにおいて送信される。
【００３１】
任意には、前述の態様のいずれかにおいて、前記第１のメッセージが、ライセンス・キャリア、アンライセンス・キャリア、またはそれらの組み合わせにおいて送信される。
【００３２】
任意には、前述の態様のいずれかにおいて、前記第１のメッセージが、無線リソース制御（ＲＲＣ）シグナリングまたは媒体アクセス制御制御要素（ＭＡＣ−ＣＥ）シグナリングにおいて送信される。
【００３３】
任意には、前述の態様のいずれかにおいて、前記１つ以上の要求における第１の要求は、第１のＵＥが前記第１のメッセージに従って該第１のＵＥに割り当てられたチャネル・サブセット内にある第１のチャネルへのアクセスを要求することを示し、前記第１のチャネルは前記競合ベースのメカニズムを用いて選択され、前記第２のメッセージは前記第１のＵＥへの前記第１のチャネルの割り当てを示す。
【００３４】
任意には、前述の態様のいずれかにおいて、前記１つ以上の要求における第１の要求は、第１のＵＥが前記第１のメッセージに従って該第１のＵＥに割り当られたチャネル・サブセット内にある第１のチャネルへのアクセスを要求することを示し、前記第１のチャネルは前記競合ベースのメカニズムを用いて選択され、前記第２のメッセージは前記第１のＵＥへの第２のチャネルの割当を示し、前記第２のチャネルは前記第１のチャネルとは異なる。
【００３５】
本開示のさらに別の態様によれば、命令を含む非一時的なメモリ・ストレージと、前記メモリ・ストレージと通信している１つ以上のプロセッサと、を含み、該１つ以上のプロセッサが該命令を実行して、ユーザ機器（ＵＥ）によって、基地局（ＢＳ）との複数のＵＥの競合伝送のために複数のＵＥへの複数のチャネル・サブセットの割り当てを示す情報を含む第１のメッセージを受信することであって、該第１のメッセージは、該ＢＳによって、１つ以上のＵＥが上りリンク伝送のためのチャネルへのアクセスを要求するために送信され、各ＵＥには、競合ベースのメカニズムを用いて該ＵＥに割り当られたチャネル・サブセット内のチャネルに競合してアクセスすることができるように、チャネル・サブセットが割り当てられ、各チャネル・サブセットはゼロ個以上のチャネルを含み、各チャネル・サブセットは互いに異なる少なくとも１つのチャネルを含み、該複数のチャネル・サブセットは、アンライセンス周波数スペクトルにおける複数のチャネルを含む、受信することと、前記第１のメッセージの受信に応答して前記ＢＳに要求を送信することであって、該要求は、前記ＵＥが前記第１のメッセージに従って前記ＵＥに割り当てられた第１のチャネル・サブセット内の第１のチャネルへのアクセスを要求することを示す、送信することと、前記ＢＳからの第２のメッセージを受信することであって、該第２のメッセージは、少なくとも１つのＵＥが割り当てられたチャネルを介して前記ＢＳと通信するために前記複数のＵＥへの前記複数のチャネルの割り当てを示す、受信することと、をする、装置が提供される。
【００３６】
任意には、前述の態様のいずれかにおいて、前記第１のメッセージが、物理下りリンク制御チャネル（ＰＤＣＣＨ）、物理下りリンク共用チャネル（ＰＤＳＣＨ）、ブロードキャスト・チャネル、またはそれらの組み合わせにおいて受信される。
【００３７】
任意には、前述の態様のいずれかにおいて、前記第１のメッセージが、ライセンス・キャリア、アンライセンス・キャリア、またはそれらの組み合わせにおいて受信される。
【００３８】
任意には、前述の態様のいずれかにおいて、前記第１のメッセージが、無線リソース制御（ＲＲＣ）シグナリングまたは媒体アクセス制御制御要素（ＭＡＣ−ＣＥ）シグナリングにおいて受信される。
【図面の簡単な説明】
【００３９】
本開示およびその利点をより完全に理解するために、添付の図面と併せて以下の説明を参照する。
【００４０】
【図１】実施形態の無線通信ネットワークの図を示す。
【図２】複数のＵＥが複数のチャネルにアクセスすることを示す概略図を示す。
【図３】複数のＵＥがサブセット制限を伴って複数のチャネルにアクセスすること示す別の概略図を示す。
【図４】競合ベースの伝送のための実施形態の方法のフローチャートを示す。
【図５】競合ベースの伝送のための別の実施形態の方法のフローチャートを示す。
【図６】競合ベースの伝送のためのさらに別の実施形態の方法のフローチャートを示す。
【図７】一実施形態の処理システムの図を示す。
【図８】一実施形態のトランシーバの図を示す。
【００４１】
異なる図における対応する数字および記号は、特に指示のない限り、一般に対応する部分を指す。図は、実施形態の関連する態様を明確に示すために描かれており、必ずしも縮尺通りに描かれているわけではない。
【発明を実施するための形態】
【００４２】
この開示の実施形態の製造および使用は、以下で詳細に論じられる。しかし、本明細書に開示される概念は、広範な特定の文脈において具現化されることができ、本明細書に論じられる特定の実施形態は、単なる例示であり、特許請求の範囲を限定する役割を果たさないと理解されるべきである。さらに、添付の特許請求の範囲によって定義されるこの開示の精神および範囲から逸脱することなく、種々の変更、置換および交代を本明細書において行うことができると理解されるべきである。
【００４３】
本開示の実施形態は、複数のユーザ機器（ＵＥ）の基地局への競合伝送のための方法を提供する。いくつかの実施形態では、ＢＳは、複数のＵＥへの複数のチャネル・サブセットの第１の割当を送信し、各ＵＥには、それぞれのＵＥが、競合ベースのメカニズムを用いてＵＥに割り当られたチャネル・サブセット内のチャネルを競合することができるように、チャネル・サブセットが割り当てられる。
第１の割当の受信に応答して、実行される上りリンク伝送を有する各ＵＥは、上りリンク伝送を実行したいチャネルを決定または選択し、決定または選択されたチャネルのアクセスを要求する要求をＢＳに送信する。
ＢＳは、１つ以上のＵＥによって送信された要求に基づいて、要求を送信した１つ以上のＵＥに割り当てられるチャネルを決定し、割り当てられたチャネルを示す第２の割当を複数のＵＥに送信し、１つ以上のＵＥは、割り当てられたチャネルを介してＢＳに上りリンク情報を送信することができる。
実施形態の方法は、ＵＥ間で発生し得るチャネル衝突を低減し、チャネル衝突を解決するためのシステム・オーバヘッドを低減する。
【００４４】
一実施形態では、第１の割当は、物理下りリンク制御チャネル（ＰＤＣＣＨ）、物理下りリンク共用チャネル（ＰＤＳＣＨ）、ブロードキャスト・チャネル、またはそれらの組み合わせで送信されてもよい。別の実施形態では、第１の割当は、ライセンス・キャリア、アンライセンス・キャリア、またはそれらの組み合わせで送信されてもよい。別の実施形態では、第１の割当は、無線リソース制御（ＲＲＣ）シグナリングまたは媒体アクセス制御制御要素（ＭＡＣ−ＣＥ）シグナリングで送信されてもよい。ＢＳは、さらに、競合ベースのメカニズムを用いて、ＵＥの割り当てられたチャネル・サブセット内のチャネルに競合してアクセスするためのＵＥの優先度レベル情報を送信してもよい。ＢＳはまた、チャネルの下りリンク・チャネル品質測定を実行するＵＥによって使用される情報を第１の割当と共に送信してもよい。ＵＥによって送信される要求は、複数のチャネル内の少なくとも１つのチャネルに関するチャネル品質測定レポートを含んでもよい。
【００４５】
図１は、データを通信するためのネットワーク１００を示す。ネットワーク１００は、カバレッジ領域１０１と、複数のユーザ機器（ＵＥ）１２０と、バックホール・ネットワーク１３０と、を含む基地局（ＢＳ）１１０を含む。図示されるように、基地局１１０は、ＵＥ１２０と上りリンク（破線）および／または下りリンク（点線）接続を確立し、ＵＥ１２０は、ＵＥ１２０から基地局１１０へ、およびその逆へデータを搬送する役割を果たす。上りリンク／下りリンク接続を介して搬送されるデータは、ＵＥ１２０間で通信されるデータ、及びバックホール・ネットワーク１３０を通ってリモート・エンド（図示せず）に／から通信されるデータを含んでもよい。本明細書で使用される「基地局」という用語は、ネットワークへの無線アクセスを提供するように構成された任意の構成要素（または構成要素の集合）を指し、例えば、拡張基地局（ｅＮＢ）、次世代ノードＢ（ｇＮＢ）、マクロセル、フェムトセル、Ｗｉ−Ｆｉアクセスポイント（ＡＰ）、他の無線で可能なデバイス等である。基地局は、１つ以上の無線通信プロトコル、例えば、ロングターム・エボリューション（ＬＴＥ）、ＬＴＥアドバンスト（ＬＴＥ−Ａ）、高速パケットアクセス（ＨＳＰＡ）、Ｗｉ−Ｆｉ  ８０２．１１ａ／ｂ／ｇ／ｎ／ａｃ等に従って無線アクセスを提供してもよい。本明細書で使用される「ユーザ機器」という用語は、基地局との無線接続を確立することができるモバイル・デバイス、移動局（ＳＴＡ）、他の無線で可能なデバイス等の任意の構成要素（または構成要素の集合）を指す。いくつかの実施形態では、ネットワーク１００は、リレー、低電力ノード等の種々の他の無線デバイスを含んでもよい。
【００４６】
ｇＮＢなどのＢＳとのＵＥの上りリンク通信は、スケジュール・グラント・メカニズムまたは競合メカニズムを用いて実行されてもよい。スケジュール・グラント・メカニズムでは、ＵＥはスケジュール・要求をｇＮＢに送信する。ｇＮＢは上りリンク伝送スケジューリングを実行し、ＵＥが上りリンク伝送を行うための上りリンク・リソース割当と共に上りリンク・グラントをＵＥに送る。競合ベースのメカニズムでは、ＵＥは、上りリンク伝送が実行される前に、チャネルまたはキャリアにアクセスするために、他のＵＥと競合する。例えば、ＵＥは、キャリア検知を実行して、チャネルが任意の他のＵＥによって占有されているかどうかを決定してもよく、チャネルが占有されていない場合に、ＵＥは、そのチャネルにおいて上りリンク・データを送信する。
【００４７】
いくつかの場合では、ＵＥが競合ベースの伝送を実行する、例えば、ＵＥがアンライセンス・キャリアで送信することは、キャリア検知多重アクセス（ＣＳＭＡ）スキームに従って、伝送前にリスン・ビフォア・トーク（ＬＢＴ）手順を実行する。ＵＥは、τの期間で送信することを計画しているキャリアについてリスンする（すなわち、キャリア検知を実行する）し、τの期間はＣＳＭＡのために費やされる最小時間である。そのキャリアについてτ内で受信された信号が閾値より大きい電力レベルを有する場合、ＵＥは送信を控える。これは、ＵＥが他のＵＥとの干渉を引き起こすのを防ぐのに役立つ。このケースでは、ＵＥは、次の送信を試みる前に、ある量の時間バックオフしてもよい。バックオフ・カウンタが、ＵＥがある期間バックオフするために、ＵＥ側に維持されてもよい。そのキャリアについてτの期間内で受信された信号が閾値未満の電力レベルを有する場合、ＵＥはキャリアが占有されていないと決定し、ＵＥは送信を続行することができる。ＵＥは、送信前にキャリアを予約するために予約信号を送信してもよい。
【００４８】
ｇＮＢは、１つの単一チャネルまたは複数チャネルを介してＵＥと通信してもよい。いくつかの実施形態では、アクセスネットワーク内の単一のｇＮＢは、Ｎ個のチャネルのバンドを介して複数のＭ個のＵＥと通信する。Ｎ個のチャネルは、隣接するバンドおよび／または非隣接バンドを含んでもよい。各ＵＥはＮ個のチャネルにアクセスすることができる。図２は、Ｎ個のチャネル（すなわち、Ｃｈ１，Ｃｈ２，…，ＣｈＮ）にアクセスするＭ個のＵＥ（ＵＥ１，ＵＥ，…，ＵＥ  Ｍ）を示す概略図を示す。Ｍ個のＵＥは、競合ベースの伝送メカニズムを用いて、Ｎ個のチャネルを介して同じｇＮＢに送信しようと試みてもよい。すなわち、Ｍ個のＵＥは上りリンク伝送のためにＮ個のチャネルを競合する。各ＵＥは、Ｎ個のチャネルのいずれか１つを競合してもよい。いくつかの実施形態において、各ＵＥは、同時にＮ個のチャネルをリスンすることができるリスニング・デバイスを有してもよい。ＵＥのリスニング・デバイスは、チャネルのいずれかに何らかの伝送があるかどうかを知らせる（全体チャネル可視性と呼ばれる）ように構成される。代替的には、各ユーザは、Ｎ個のチャネルをリスンする（個別チャネル可視性と呼ばれる）ことができるＮ個のリスニング・デバイスを有してもよい。各リスニング・デバイスｎは、ｎ番目のチャネルに何らかの伝送があるかどうかを知らせるように構成される。Ｎ個のリスニング・デバイスは、同時にＮ個のチャネルをリスンするように構成されてもよい。通常、ＵＥは、全体チャネル可視性よりも個別チャネル可視性を有するためにより洗練されたハードウェアを必要とする。
【００４９】
Ｍ個のＵＥ（上りリンク伝送においては送信デバイスと呼ばれる）が、ｇＮＢ（上りリンク伝送においては受信デバイスと呼ばれる）への上りリンク伝送を実行するためのＮ個のチャネルを競合する場合に、一実施形態において、各送信デバイスは、受信デバイスと通信するために１つのチャネルを選択してもよい。この場合、異なるシナリオが発生する可能性がある。例えば、ある時間で、２つの送信デバイスは、受信デバイスと通信するために同じチャネルを選択することがあり、受信デバイスは、いずれの送信デバイスからも信号を復号することができず、従って、２つの送信デバイスによって送信された信号の受信に失敗する。別の例では、特定のチャネルが、ある時間で、送信デバイスでバッファされているデータが依然としてある間に、受信デバイスと通信するための送信デバイスのいずれによっても選択されないことがある。この場合、非選択のチャネル、すなわち利用可能なリソースが無駄になる。さらに別の例では、ある時点で、１つの送信デバイスのみが受信デバイスと通信するために特定のチャネルを選択する。この場合、受信デバイスは、１つの送信デバイスからの信号を首尾よく復号することができる。複数のチャネルがＵＥとｇＮＢの間の通信に使用される場合に、１つのＵＥが送信するときに排他的に１つのチャネルを占有することが望まれる。
【００５０】
ＵＥが競合ベースのメカニズムに従って複数のチャネルを介してｇＮＢへの上りリンク・データ伝送を実行する場合に、各ＵＥは複数のチャネルをリスンする必要がある可能性があり、これはキャリア検知オーバヘッドを増加させる。さらに、各ＵＥは複数のチャネルの各々を競合する可能性があるため、競合が大きく増加し、従って、競合を解決するためのオーバヘッドが増加する。いくつかの実施形態において、オーバヘッドは、各ＵＥがチャネルのサブセットのみ競合できるように、ＵＥを制限することによって、低減され得る。制限は、それぞれのサブセット内のチャネルのみを競合するＵＥおよびＵＥにシグナリングされてもよい。
【００５１】
いくつかの実施形態において、Ｎ個のチャネル（すなわち、Ｃｈ１，Ｃｈ２，…，ＣｈＮ）は、Ｑ個のチャネル・サブセットＳ１，Ｓ２，…，ＳＱに分割されてもよく、チャネル・サブセットＳｑは、Ｎｑ個のチャネルを含み、Ｎｑ≧１である。一実施形態では、Ｑ個のチャネル・サブセットの各々は、互いに異なるチャネルを含む。この場合、Ｎ１＋Ｎ２＋  …  ＋ＮＱ＝Ｎである。例えば、１０個のチャネルは３つのサブセット（Ｃｈ１，Ｃｈ２）、（Ｃｈ３，Ｃｈ４，Ｃｈ５，Ｃｈ６，Ｃｈ７）および（Ｃｈ８，Ｃｈ９，Ｃｈ１０）に分割されてもよい。別の実施形態では、１つのチャネル・サブセットは、他のチャネル・サブセットと１つ以上の同じチャネルを有してもよい。この場合、Ｎ１＋Ｎ２＋  …  ＋ＮＱ＞Ｎである。例えば、１０個のチャネルは、３つのサブセット（Ｃｈ１，Ｃｈ２，Ｃｈ３，Ｃｈ４）、（Ｃｈ３，Ｃｈ４，Ｃｈ５，Ｃｈ６，Ｃｈ７）および（Ｃｈ８，Ｃｈ９，Ｃｈ１０）に分割されてもよい。Ｎ個のチャネルは、様々な基準に従って分割されてもよい。例えば、Ｎ個のチャネルは、各々が同じ数のチャネルを有するＱサブセットに均等に分割されてもよい。別の例では、Ｎ個のチャネルは、特定のサブセットに競合するＵＥの数に基づいて分割されてもよい。各ＵＥには、１つ以上のチャネル・サブセットが割り当てられてもよく（すなわち、１つ以上のチャネル・サブセットへのアクセスに制限される）、割り当てられたサブセット内のチャネルへのアクセスを競合することが許される。
【００５２】
図３は、Ｍ個のＵＥがチャネル・サブセット制限を伴ってＮ個のチャネルにアクセスすることを示す概略図である。図３は、各ＵＥが１つの割り当てられたサブセット内のチャネルにのみアクセスできることを示す。この例では、Ｎ個のチャネル（すなわち、Ｃｈ１，Ｃｈ２，…，ＣｈＮ）は、Ｑ個のサブセットに分割され、各ＵＥ（ＵＥ１，ＵＥ２，…，ＵＥ  Ｍ）に１つのサブセットが割り当てられる。各ＵＥへのサブセットの割り当てにより、各ＵＥは割り当てられたサブセットに制限され、競合ベースの伝送のために割り当てられたサブセット内のアクセスチャネルにのみ競合してアクセスすることができる。すなわち、ＵＥは、割り当てられたチャネルのみをリスンし、割り当てられたチャネルを競うことができる。図示されるように、ＵＥ１、ＵＥ２、ＵＥ３およびＵＥ４には、２つのチャネル、すなわちＣｈ１およびＣｈ２を含むサブセット１が割り当てられる。したがって、チャネル１に対して、競合するＵＥの数は（Ｍの代わりに）４つのみであり、ＵＥ１，ＵＥ２，ＵＥ３、ＵＥ４はサブセット１内のチャネルのみ（すなわち、チャネル３，４，…，Ｎではなく、チャネル１と２）を競うことになる。その結果、潜在的に競うＵＥの数は、チャネルに対するＵＥの制限なしの場合よりも少ない。サブセット割当または制限は、負荷分散、待ち時間、信頼性、スループット、ネットワーク容量、またはトラフィック量などの種々の伝送要求に基づいて、予め構成されてもよく、あるいは動的に構成されてもよい。
【００５３】
いくつかの実施形態において、各ＵＥには、サブセットにアクセスするための優先度レベルでサブセットに割り当てられてもよい。異なる優先度レベルは、競合によってチャネルへのアクセスを得る可能性が異なることを示す。例えば、図３におけるＵＥ１、ＵＥ２、ＵＥ３およびＵＥ４には、異なる優先度レベルでサブセット１が割り当てられてもよい。ＵＥ１がＵＥ２、ＵＥ３およびＵＥ４より高い優先度レベルを有する場合、４つのＵＥがｇＮＢに送信するためにサブセット１内のチャネルへのアクセスを競う場合、ＵＥ１はサブセット１内のチャネルへのアクセスを得る可能性がより高い可能性がある。
【００５４】
いくつかの実施形態では、ＵＥには、割り当てられた各サブセットに対してある優先度レベルで複数のサブセットが割り当てられてもよい。ＵＥが送信される上りリンク・データを有する場合に、ＵＥは、割り当てられたサブセットのうちの１つを選択し、対応する優先度レベルで選択されたサブセット内のチャネルへのアクセスを競合することができる。例えば、図３におけるＵＥ１には、優先度レベル１（例えば、高い優先度）でサブセット１と、優先度レベル２（例えば、低い優先度）でサブセット２が割り当てられてもよい。上りリンク・データが伝送のために到着した場合に、ＵＥ１は、競合ベースの伝送のためにサブセット２を選択し、優先度レベル２でサブセット２内のチャネルを他のＵＥと競ってもよい。複数のサブセットで割り当てられたＵＥは、競合ベースの伝送のためのサブセットをランダムに選択してもよい。ＵＥはまた、送信される上りリンク・データのタイプ、伝送レイテンシ等の他の要件に基づいて、割り当てられたサブセットからサブセットを選択してもよい。
【００５５】
いくつかの実施形態では、ＵＥは、「Ａｌｗａｙｓ  Ｙｅｓ」の優先度レベルでサブセットに割り当てられてもよい。この場合、ＵＥは常にこのサブセットを競うことができる。別の実施形態では、ＵＥは、「Ａｌｗａｙｓ  Ｎｏ」の優先度レベルでサブセットに割り当てられてもよい。この場合、ＵＥはこのサブセットを競合することが許容されない。さらに別の実施形態では、ＵＥは、いずれのチャネルも競合することが許容されない。この場合、ＵＥにはいかなるチャネルも割り当てられないか、あるいはＵＥに割り当てられたサブセットはチャネルを含まない（ゼロチャネルを含む）。当業者であれば、ＵＥがサブセット内のチャネルを競うための優先度レベルを定義するために、多くの変形、代替および修正を認識するであろう。
【００５６】
優先度レベルでＵＥへのサブセットの割り当ては、様々な方法で示され得る。表１は、４つのＵＥに割り当てられたチャネルの３つのサブセットの割り当てを示す。この例では、サブセット１（すなわちＳ１）は３つのチャネル（Ｃｈ１〜Ｃｈ３）を含み、サブセット２（すなわちＳ２）は２つのチャネル（Ｃｈ４〜Ｃｈ５）を含み、サブセット３（すなわちＳ３）は２つのチャネル（Ｃｈ６〜Ｃｈ７）を含む。表１は、ＵＥ１は、それぞれ、優先度レベルＰ１、Ｐ２およびＰ３でＳ１、Ｓ２およびＳ３に割り当てられていることを示す。ＵＥ２は、それぞれ、優先度レベルＰ２、Ｐ２およびＰ１でＳ１、Ｓ２およびＳ３に割り当てられている。ＵＥ３は、ＡｌｗａｙｓでＳ１に割り当てられ、ＵＥ４は、優先度レベルＰ１でＳ２に割り当てられている。
【表１】
0006851537.tif 000002
【００５７】
表１のサブセット割り当ては、表２に示されるように、別の方法で示されてもよい。表２は、優先度レベルと共にＵＥへの７つのチャネルの割り当て（またはＵＥに対するチャネル制限の設定）を示す。見られるように、表２は明示的にはサブセットを示していない。しかし、各ＵＥ対して割り当てられたサブセットは黙示的に示されている。例えば、表２に示されるように、ＵＥ１およびＵＥ２に対するサブセットは７個のチャネルすべてであり、ＵＥ４に対するサブセットはチャネル４およびチャネル５である。当業者であれば、競合ベースの伝送のためにＵＥへのチャネルのサブセットの割り当てを示すための多くの変形、代替および修正を認識するであろう。
【表２】
0006851537.tif 000003
【００５８】
図４は、競合ベースの伝送のための実施形態の方法４００のフローチャートを示す。この例では、ｇＮＢ４１０は、複数のチャネルを介して複数のＵＥ（ＵＥ４２０〜ＵＥ４３０）と通信する。ＵＥがｇＮＢに送信される上りリンク・データを有する場合に、それらは、ＣＳＭＡスキームのような競合ベースのメカニズムを用いて複数のチャネルにおけるチャネルへのアクセスを競合する。この例では、各ＵＥは、割り当てられたチャネルを競合する。ＵＥは割り当てられたチャネルをリスンし、１つのチャネルが伝送に利用可能である（あるいは占有されていない）と決定した場合に、チャネルでの伝送の実行を直接的に進めない。その代わり、そのチャネルで送信することを要求し、伝送のためにこのチャネルを割り当てるようにｇＮＢ４１０に要求することを示す要求をｇＮＢ４１０に送信する。要求に応答してチャネルが割り当てられる場合に、ＵＥはこのチャネルでその上りリンク伝送の実行を進める。実施形態の方法は、発生し得るチャネル衝突を低減し、従って、チャネル衝突を解決するためのシステム・オーバヘッドを低減する。
【００５９】
図示されるように、ステップ４３２では、ｇＮＢ４１０は、競合ベースの伝送のためにＵＥによる競合のためのチャネル割当（または制限）を示すメッセージをＵＥに送信してもよい。この段階でのチャネル割当は、チャネルが競合目的のためにＵＥに割り当てられるため、競合チャネル割当と呼ばれることがある。メッセージは、競合チャネル割当メッセージと呼ばれることがある。競合チャネル割当メッセージに示されている競合チャネル割当は、ＵＥが競合によって得られるチャネルを介した上りリンク伝送を実行するためのものではない。その代わり、ＵＥは、例えば、競合によってチャネルを決定し、次いで、上りリンク伝送のための決定されたチャネルのアクセスを要求することを可能にする。すなわち、競合チャネル割当は、１つ以上のＵＥが上りリンク伝送のためのチャネルのアクセスを要求するために送信される。競合チャネル割当はＵＥをあるチャネルのサブセットに制限し、ＵＥは制限されたサブセット内のチャネルのみを競合することができる。競合チャネル割当は、各ＵＥに割り当てられたかつ／あるいは制限されたチャネルの１つ以上のサブセットを示すように示されてもよい。競合チャネルの割当はまた、サブセットの代わりに、各ＵＥに割り当てられたかつ／あるいは制限された１つ以上のチャネルを示すように示されてもよい。チャネル割当は、ＵＥがチャネル・アクセスを競合する場合に有することができる優先度レベルを含んでもよい。ＵＥは、競合チャネル割当情報に従って、ＣＳＭＡスキームを用いてチャネルへのアクセスを競合してもよい。いくつかの実施形態では、メッセージは、ＵＥのための競合チャネル割当を示すトリプレットを含んでもよい。一実施形態では、トリプレットは、ＵＥインデックス、チャネル・インデックスおよび制限状態または優先度レベルを含んでもよい。ＵＥインデックスはＵＥを識別し、チャネル・インデックスは制限状態または優先度レベルが適用されるチャネルを識別し、制限状態は識別されたチャネルが競合に許容されるかどうかを示し、優先度レベルは識別されたＵＥが競合のためにどの優先度レベルを有するかを示す。例えば、トリプレットは、（ＵＥ１，Ｃｈ１，Ｐ１）であってもよく、これは、チャネル１が、競合ベースの伝送のために優先度レベル１でＵＥ１に割り当てられることを示す。別の例では、トリプレットは、チャネル１が、競合ベースの伝送のためにＵＥ１に割り当てられることを示す（ＵＥ１，Ｃｈ１，Ｙ）、またはチャネル１が、競合ベースの伝送のためにＵＥ１に割り当てられないこと示す（ＵＥ１，Ｃｈ１，Ｎ）であってもよい。メッセージは、ＵＥが競うことができるチャネルを示す複数のトリプレットを含んでもよい。表３は、ｇＮＢ４１０によって送信されるメッセージに含まれ得るトリプレットの例を示す。
【表３】
0006851537.tif 000004
【００６０】
一実施形態では、トリプレットは、ＵＥインデックス、チャネル・サブセット・インデックス、および優先度レベルを含んでもよい。チャネル・サブセット・インデックスはチャネル・サブセットを識別し、優先度レベルは、ＵＥが識別されたサブセットを競合するための優先度レベルを示す。そのようなトリプレットの例は、（ＵＥ１，Ｓ１，Ｐ１）であり得る。別の実施形態では、ＵＥに対するチャネル割当は、ＵＥインデックス、チャネル・インデックス、および制限状態ならびに優先度レベルを含むクワドラプレットによって示されてもよい。例えば、クワドラプレットは、（ＵＥ１，Ｃｈ１，Ｙ，Ｐ１）であってよく、これは、チャネル１が、競合ベースの伝送のための優先度レベル１でＵＥ１に割り当てられることを示す。
【００６１】
競合チャネル割当情報を送信するためのメッセージは、ＵＥに向けられた他の情報も含んでもよい。例えば、メッセージは、ＵＥがチャネルのチャネル品質を推定するために下りリンク測定を実行するための参照信号を含んでもよい。参照信号は、１つ以上のチャネルが競合ベースの伝送のためにＵＥに割り当てられているかどうかにかかわらず、ＵＥが任意の１つ以上のチャネルを測定するために送信されてもよい。別の例では、競合チャネル割当メッセージは、例えば信号電力レベル閾値である、リスン・ビフォア・トーク閾値、アクセス優先度レベル、例えばキャリア検知が実行され得る期間である、競合ウィンドウ・パラメータ等の制御情報を含んでもよい。
【００６２】
いくつかの実施形態では、競合チャネル割当は、物理下りリンク制御チャネル（ＰＤＣＣＨ）、物理下りリンク共用チャネル（ＰＤＳＣＨ）、ブロードキャスト・チャネル、任意の他の適用可能な下りリンク・チャネル、またはそれらの組み合わせで送信されてもよい。例えば、競合チャネル割当情報の一部はブロードキャスト・チャネルで送信されてもよく、例えば、ＵＥの第１のグループへのチャネルのサブセットの割り当ては、ブロードキャスト・チャネルで送信されてもよく、残りの情報、例えば、ＵＥの残りの部分へのサブセットの割り当ては、制御チャネルで送信されてもよい。いくつかの実施形態では、競合チャネル割当は、無線リソース制御（ＲＲＣ）シグナリング、または媒体アクセス制御制御要素（ＭＡＣ−ＣＥ）シグナリングを用いて送信されてもよい。いくつかの実施形態では、競合チャネル割当は、ライセンス・キャリア、アンライセンス・キャリア、またはそれらの組み合わせを用いて送信されてもよい。例えば、競合チャネル割当情報の一部は、ライセンス・キャリアで送信され、残りの情報は、アンライセンス・キャリアで送信されてもよい。
【００６３】
ＵＥによって受信された競合チャネル割当情報により、ＵＥが上りリンク伝送をｇＮＢに送信したい場合に、ＵＥは、競合チャネル割当情報に従って、競合ベースのチャネル・アクセスを実行するためのチャネル（またはチャネル・サブセット）を決定し、決定されたチャネルをリスンする。この実施形態の方法４００では、ＵＥ４２０、４２２、４２４および４２６に競合のために２つのチャネル、すなわちＣｈ１およびＣｈ２が割り当てられ、ＵＥ４２８および４３０に競合のために４つのチャネル、すなわちＣｈ３、Ｃｈ４、Ｃｈ５およびＣｈ６が割り当てられる。Ｃｈ１およびＣｈ２はサブセット１とみなされることができ、Ｃｈ３、Ｃｈ４、Ｃｈ５およびＣｈ６はサブセット２と見なされることができる。この割当は、表４に示すように示されてもよい。この例では、割当はアクセス優先度レベルの情報を含まない。ＵＥ４２０、４２２、４２４および４２６が各々送信される上りリンク・データを有する場合、各ＵＥは、対応するＵＥがその上りリンク伝送を実行したいチャネルを選択または決定する。いくつかの実施態様では、ステップ４３４、４３６、４３８、４４０において、ＵＥ４２０、４２２、４２４および４２６は、それぞれサブセット１内のチャネルに対してＬＢＴのようなＣＳＭＡを実行して、チャネルを選択する。ＵＥに複数のサブセットで割り当てられている場合、ＵＥは１つのサブセットを選択し、選択したサブセットに対してＬＢＴを実行してもよい。ＵＥ４２８および４３０には、Ｃｈ３、Ｃｈ４、Ｃｈ５およびＣｈ６が割り当てられているが、なされる上りリンク伝送を有さず、ＬＢＴを実行しない。
【表４】
0006851537.tif 000005
【００６４】
ＵＥ４２０がステップ４３４中にＣｈ１が利用可能であると決定した場合に、ステップ４４２において、Ｃｈ１で上りリンク・データを送信することを要求する要求をｇＮＢ４１０に送信する。ここでの要求は、要求を送信することによってあるチャネル介して送信するためのＵＥ要求としての送信要求と呼ばれることがある。ＵＥ４２０はまた、Ｃｈ１を予約したことを示す予約信号を送信してもよい。同様に、ＵＥ４２２は、Ｃｈ２がステップ４３６中に利用可能であると決定した場合に、ステップ４４４において、Ｃｈ２で上りリンク・データを送信することを要求する要求をｇＮＢ４１０に送信する。ＵＥ４２２は、Ｃｈ２を予約したことを示す予約信号を送信してもよい。ＵＥ４２４、４２６は、例えば、ＵＥ４２０、４２２によって送信された予約信号を検出することによって、Ｃｈ１およびＣｈ２の両方が占有されることを決定し、Ｃｈ１およびＣｈ２のいずれへの競合によるアクセスを取得しない。この場合、いくつかの実施形態では、ＵＥ４２４、４２６の各々は依然として、チャネル、例えばＣｈ１またはＣｈ２で上りリンク・データを送信することを要求する要求をｇＮＢ４１０に送信してもよい。例えば、ＵＥ４２４、４２６の各々は、ステップ４４６、４４８において、それぞれＣｈ２で送信することを要求する。そのような要求は、上りリンク伝送チャネルの割り当てのためのＵＥの必要性も示す。ステップ４３２において送信された競合チャネル割当メッセージは、キャリア検知を実行し、キャリア検知を実行した後に決定されたチャネルを介して送信することを要求する要求を送信するために実行される上りリンク伝送を有するＵＥのためのトリガとみられてもよい。競合チャネル割当メッセージの受信により、各ＵＥは、上りリンク伝送を実行するためのあるチャネルにアクセスするために、ｇＮＢ４１０がＵＥからの要求の受信を開始することを理解する。
【００６５】
いくつかの実施形態では、競合によって第１のチャネルへのアクセスを取得したＵＥは、第１のチャネルと同じか、あるいは異なるチャネルで送信することを要求してもよい。チャネルは、ＵＥに割り当てられたチャネル・サブセットから、あるいはＵＥに割り当てられていないサブセットから選択されてもよい。例えば、ＵＥ４２２は競合によってＣｈ１へのアクセスを取得しているが、サブセット１内のＣｈ２で送信することを要求することができる。別の例では、ＵＥ４２２は競合によってサブセット１内のＣｈ１へのアクセスを取得しているが、サブセット２内のＣｈ３で送信することを要求してもよい。いくつかの実施形態において、競合によって割り当てられたサブセット内のいずれのチャネルへのアクセスも取得しなかったＵＥは、ＵＥに割り当てられたサブセットまたはＵＥに割り当てられていないサブセット内にあるチャネルで送信することを要求してもよい。例えば、ＵＥ４２４は、サブセット１内のＣｈ１またはサブセット２内のＣｈ４で送信することを要求してもよい。いくつかの実施形態において、ＵＥは、競合によってチャネルへのアクセスを取得したかどうかにかかわらず、チャネル、例えばＣｈ１〜Ｃｈ６のうちの任意の１つを選択し、選択されたチャネルで送信することを要求するオプションを有してもよい。
【００６６】
いくつかの実施形態では、ＵＥは、ＵＥが送信する送信要求とともに、チャネルでのチャネル品質推定などの測定レポートをｇＮＢ４１０に送信してもよい。ＵＥは、１つ以上のチャネルに対してチャネル推定を実行することができる。１つ以上のチャネルは、ＵＥの割り当てられたサブセット内のチャネル、ＵＥの割り当てられたサブセット内にはないチャネル、またはそれらの組み合わせを含んでもよい。チャネル品質推定は、競合チャネル割当情報と共にｇＮＢ４１０によって送信された参照信号に基づいて実行されてよい。チャネル品質推定は、後にｇＮＢ４１０によって実行される下りリンク・スケジューリングに有用である。チャネル品質推定は、送信要求とは別に送信されてもよい。
【００６７】
上記のステップ４３２〜４４８は、図示のように、例えば、競合サイクル１などの競合サイクルを形成するものとみられてもよい。競合サイクルは、ＵＥが上りリンク伝送を競合するためにＵＥに競合チャネルを割り当てることから開始し、選択／決定されたチャネルで上りリンク伝送を実行するためのＵＥが要求を受信することで終了する。具体的には、競合サイクルは、競合のためにＵＥにチャネルを割り当てるｇＮＢ４１０からＵＥへの下りリンク・メッセージの送信、下りリンク・メッセージに従ってチャネルへのアクセスのためのＵＥによる競合の実行、および選択されたチャネルで送信することを要求するＵＥからｇＮＢへの上りリンク・メッセージの送信を含む。下りリンク・メッセージは、競合のために各ＵＥに割り当てられたチャネル・サブセットなどのＵＥサブセット制限に関する情報、競合のために各ＵＥが有する優先度レベルなどの優先度設定、および参照信号のような下りリンク・チャネル測定情報を含んでもよい。上りリンク・メッセージは、あるチャネルで上りリンク伝送を実行することを要求する送信要求、および／またはチャネル品質推定フィードバックを含んでもよい。
【００６８】
競合サイクルの終了時に、ｇＮＢ４１０は、１つ以上のチャネルに対して１つ以上の要求を受信してもよい。要求に基づいて、ステップ４５０において、ｇＮＢは、要求を送信したＵＥに対する伝送のためのチャネル割り当てを決定してもよい。ステップ４５０での割り当ては、ＵＥがこのステップで割り当てられたチャネルを介した伝送を実行するため、伝送チャネル割当と呼ばれることがある。決定は、受信された要求および／または測定レポート、例えばチャネル品質推定、および伝送要件、例えばレイテンシ、信頼性、伝送速度等の他の情報に基づいてなされてもよい。いくつかの実施形態では、ｇＮＢは、ＵＥによって要求されるチャネルをＵＥに割り当ててもよい。例えば、ｇＮＢ４１０は、要求に応じてＣｈ１をＵＥ４２０に割り当ててもよい。いくつかの他の実施形態において、ｇＮＢ４１０は、ＵＥによって要求されていないチャネルをＵＥに割り当ててもよい。例えば、ＵＥ４２０がＣｈ１を要求したけれども、ｇＮＢ４１０は利用可能なＣｈ３をＵＥ４２０に割り当ててもよい。これは、ＵＥ４２０によって送信される上りリンク・データのレイテンシ要件などの伝送要件をＣｈ１が満たすことができない場合、またはＣｈ１のチャネル品質が閾値を満たさないことを測定報告が示す場合であり得る。ｇＮＢ４１０はまた、例えば、利用可能なチャネルがない場合に、要求を送信するＵＥにいかなるチャネルも割り当てなくてもよい。同じチャネルで送信することを２つ以上のＵＥが要求する場合、衝突が発生する。この場合、ｇＮＢ４１０は、衝突を解決するためにチャネル割り当てを調停するアルゴリズムを走らせ、あるいは所定のルールまたはポリシーに基づいて衝突を解決してもよい。例えば、２つのＵＥが同じチャネルを要求した場合、ｇＮＢ４１０は、ＵＥの要求が受信された時間に基づいて、２つのＵＥのうちの１つにチャネルを割り当ててもよい。要求がｇＮＢに早く到着したＵＥは、要求したチャネルを取得してもよい。次いで、ｇＮＢは他方のＵＥに別のチャネルを割り当ててもよく、あるいは他方のＵＥにチャネルを割り当てなくてもよい。
【００６９】
この実施形態の方法４００では、上記のように、ＵＥ４２０はＣｈ１が占有されていないことを決定した後にＣｈ１を要求し、ＵＥ４２２はＣｈ２が占有されていないことを決定した後にＣｈ２を要求し、ＵＥ４２４、４２６は占有されていないチャネルは見つけなかったが、両方ともＣｈ２を要求した。ｇＮＢ４１０が要求を受信した場合に、ＵＥ４２２、４２４および４２６またはＣｈ２を要求するすべてのＵＥの間で衝突があると決定する。一例では、ｇＮＢ４１０は、早くにＵＥ４２４の要求を受信する場合にＣｈ２をＵＥ４２４に割り当て、占有されていないＣｈ３およびＣｈ４をＵＥ４２２および４２６に割り当てもよい。別の例では、ｇＮＢ４１０はまた、チャネルをＵＥ４２６に割り当てることなく、占有されていないＣｈ３をＵＥ４２２のみに割り当てることができる。
【００７０】
衝突解決およびチャネルの調停の後、および伝送のためのチャネル割り当ての後、ｇＮＢ４１０は、Ｃｈ５、Ｃｈ６等のいくつかの他のチャネルが利用可能であること、すなわち、占有または要求されていないことを見出してよい。この場合、ｇＮＢ４１０は、例えば、別の競合サイクル、例えば図示されている競合サイクル２を発行して、引き続き利用可能なリソースをＵＥに割り当ててもよい。同様に、競合サイクル２は、ｇＮＢ４１０が競合のためのチャネルを割り当て、あるチャネルで送信することを要求するＵＥからの要求を受信することを含む。ステップ４５２において、ｇＮＢ４１０は、競合チャネル割当を示す別の下りリンク・メッセージをＵＥに送信する。下りリンク・メッセージはまた、ＵＥが割り当てられたチャネルを競合するための優先度レベル、下りリンク参照信号、または他の下りリンク制御情報、例えば、ＬＢＴ閾値を含んでもよい。このサイクル中の競合チャネル割当は、競合サイクル１の場合のものと同じか、あるいは異なるように構成されてもよい。いくつかの実施形態では、チャネルは、競合サイクル１のものとは異なるグループに分割されてもよい。他の実施形態では、ＵＥには、異なるサブセットまたはチャネルが割り当てられてもよい。例えば、ｇＮＢ４１０が、ＵＥ４２０にＣｈ１を、ＵＥ４２２にＣｈ２を伝送のために割り当てることを決定し、競合サイクル１の後にＵＥ４２４、４２６にいずれのチャネルも割り当てしないと決定した場合、競合サイクル２の間に、ｇＮＢ４１０は、競合サイクル１で用いられたものと同じ競合割当設定を用いて、同じ競合割当をＵＥに送信してもよい。すなわち、上記の表４に示されるように、Ｃｈ１およびＣｈ２はＵＥ４２０、４２２、４２４および４２６に割り当てられ、Ｃｈ３、Ｃｈ４、Ｃｈ５およびＣｈ６はＵＥ４２８および４３０に割り当てられる。代替的には、ｇＮＢ４１０は、伝送のために割り当てられ、かつ利用可能であるチャネルに従って、競合チャネル割当を再設定してもよい。例えば、下りリンク・メッセージは、ＵＥ４２０、４２２、４２４にはチャネルＣｈ１、Ｃｈ２、Ｃｈ３のセットが競合のために割り当てられ、ＵＥ４２６、４２８、４３０にはチャネルＣｈ４、Ｃｈ５、Ｃｈ６のセットが競合のために割り当てられることを示してもよい。この場合、下りリンク・メッセージを受信した後、ＵＥ４２６、４２８、４３０は、送信される上りリンク・データを有する場合、ステップ４５４、４５６、４５８において、それぞれ、割り当てられたチャネルを競合して、そのチャネルでＬＢＴを実行することができるチャネルのセットを決定することができる。ＵＥ４２６、４２８、４３０は、各々、Ｃｈ４、Ｃｈ５、Ｃｈ６をそれぞれ予約してもよく、ステップ４６０、４６２、４６４において、予約済みチャネルでの伝送を要求する要求をｇＮＢ４１０にそれぞれ送信する。競合サイクル２は、ｇＮＢがＵＥ４２６、４２８、４３０からの要求を受信したときに終了する。
【００７１】
ステップ４６６において、要求を受信した後、ｇＮＢ４１０は、要求を送信するＵＥ、すなわちＵＥ４２６、４２８、４３０に対する伝送のためのチャネル割当を決定してもよい。例えば、ｇＮＢ４１０は、ＵＥ４２６、４２８、４３０によって要求されたチャネルを伝送のためにＵＥに割り当てることを決定してもよい。別の例において、ｇＮＢ４１０は、チャネルをＵＥに割り当てないことを決定してもよい。さらに別の例では、ｇＮＢ４１０は、ＵＥが要求したものとは異なるチャネルをＵＥに割り当てることを決定してもよい。いくつかの実施形態において、ｇＮＢ４１０は、要求を送信したすべてのＵＥ、すなわち、ＵＥ４２０〜４３０に対する伝送のためのチャネル割り当てを決定してもよい。一例では、ｇＮＢ４１０は、ＵＥ４２６〜４３０からの要求に基づいて、チャネルを１つ以上のＵＥ４２０〜４２６に再割り当てしてもよい。別の例では、ｇＮＢ４１０は、ＵＥ４２０〜４２６への伝送チャネル割当およびＵＥ４２６〜４３０から受信された要求に基づいて、チャネルをＵＥ４２６〜４３０に割り当ててもよい。ステップ４６６は、ステップ４５０と同様に実行されてもよい。ｇＮＢ４１０は、上りリンク伝送に利用可能なチャネルが依然としてある場合、１つ以上の競合サイクルを発行してもよい。いくつかの実施形態において、ｇＮＢ４１０は、すべての競合サイクルが完了するまで、伝送チャネル割当を決定しない、すなわち、ステップ４５０、４６６を実行しなくてもよい。
【００７２】
ステップ４６８において、ｇＮＢ４１０は、上りリンク伝送のためのチャネルの割当を示すメッセージをＵＥに送信する。メッセージは、伝送チャネル割当メッセージと呼ばれることがある。そのメッセージは、ｇＮＢがこれ以上の競合サイクルが必要とされない決定した後に送信され、伝送チャネル割当を完了する。ｇＮＢ４１０が別の競合サイクルが必要とされると決定した場合、この競合サイクルが完了するまでステップ４６８を実行しない。メッセージは、送信電力制御設定、送信タイミング・アドバンス・パラメータ等の他の伝送パラメータ設定を含んでもよい。ステップ４７０で、ＵＥは、ステップ４６８において割り当てられたチャネルを介して上りリンク伝送を実行する。
【００７３】
実施形態の方法４００は、２つの期間、すなわち、第１の期間４８０および第２の期間４９０を定義してもよい。第１の期間４８０は、ステップ４３２〜４６８を含むアクセス要求期間と呼ばれ、第２の期間４９０は、ステップ４７０を含め、伝送期間と呼ばれる。アクセス要求期間中、ｇＮＢ４１０は、各ＵＥが競合してアクセスでき、チャネルを示し、各ＵＥはチャネルを競合し、上りリンク伝送のためのチャネルを要求する。伝送期間中、上りリンク伝送を要求する各ＵＥは、割り当てられたチャネルに従ってデータを送信する。アクセス要求期間は、ｇＮＢ４１０が第１の競合チャネル割当メッセージをＵＥに送信したときに開始し、ｇＮＢ４１０が伝送チャネル割当メッセージをＵＥに送信したときに終了する。ｇＮＢ４１０は、第１の期間の長さを動的に調整してもよい。例えば、競合サイクルの後で、かつ上りリンク伝送に利用可能なチャネルが依然としてある場合に、ｇＮＢ４１０は、別の競合サイクルを開始して、アクセス要求期間の長さを増加させてもよい。他の例では、ｇＮＢ４１０は、上りリンク伝送に利用可能なチャネルが依然としてあっても、アクセス要求期間を停止することを決定してもよい。この場合、ｇＮＢ４１０は、第１の期間４８０の終了を示す伝送チャネル割当メッセージをＵＥに送信する。伝送チャネル割当メッセージの受信により、各ＵＥは、アクセス要求期間が終了し、いかなる要求メッセージも送信しないことを理解する。各ＵＥはまた、伝送期間が開始し、割り当てられたチャネルを有するＵＥが上りリンク伝送を開始することを理解する。ｇＮＢ４１０は、次のアクセス要求期間、すなわち、現在の伝送期間を終了させる別の競合チャネル割当メッセージを送信することによって開始してもよい。
【００７４】
図５は、例えば複数のチャネルを介して、ＵＥとＢＳ、例えばｇＮＢの間の競合ベースの伝送のための実施形態の方法５００のフローチャートを示す。方法５００は、ＢＳによって実行されてもよい。図示のように、ステップ５０２において、方法５００は、第１のメッセージを送信する。第１のメッセージは、ＢＳへの複数のＵＥの競合伝送のために、複数のＵＥへの第１の複数のチャネル・サブセットの第１の割当を示す情報を含む。第１の割当は、１つ以上のＵＥが上りリンク伝送のためのチャネルへのアクセスを要求するために送信され、各ＵＥには、それぞれのＵＥが、競合ベースのメカニズムを用いてＵＥに割り当てられたチャネル・サブセット内のチャネルを競合することができるように、チャネル・サブセットが割り当てられる。各チャネル・サブセットはゼロ、１つ以上のチャネルを含み、各チャネル・サブセットは、互いに異なる少なくとも１つのチャネルを含む。第１の複数のチャネル・サブセットは、アンライセンス周波数スペクトルにおいて複数のチャネルを含む。
【００７５】
ステップ５０４において、方法５００は、第１のメッセージの受信に応答して複数のＵＥによって送信された１つ以上の要求を受信し、各要求は、ＵＥが上りリンク伝送のために複数のチャネル内のチャネルへのアクセスを要求することを示す。１つ以上の要求における要求は、ＵＥが、最初のメッセージに従ってＵＥに割り当てられたチャネル・サブセット内のチャネルへのアクセスを要求することを示すことができる。チャネルは、競合ベースのメカニズムを用いてＵＥによって選択されてもよい。ステップ５０６において、方法５００は、それら複数のＵＥに第２のメッセージを送信する。第２のメッセージは、少なくとも１つのＵＥが第２のメッセージに従って割り当てられたチャネルを介してＢＳと通信するために、複数のＵＥへの複数のチャネルの第２の割当を示す。第２の割当は、１つ以上の要求に少なくとも部分的に基づいて決定される。
【００７６】
図６は、複数のチャネルを介したＵＥとｇＮＢの間の競合ベースの伝送のための別の実施形態の方法６００のフローチャートを示す。方法６００は、ＵＥによって実施されてもよい。図示のように、ステップ６０２において、方法６００は、ＢＳとの複数のＵＥの競合伝送のために複数のＵＥへの複数のチャネル・サブセットの第１の割当を示す情報を含む第１のメッセージを受信する。第１の割当は、１つ以上のＵＥが上りリンク伝送のためのチャネルのアクセスを要求するためにＢＳによって送信され、各ＵＥには、それぞれのＵＥが競合ベースのメカニズムを用いてＵＥに割り当てられたチャネル・サブセット内のチャネルを競合することができるように、チャネル・サブセットが割り当てられる。各チャネル・サブセットは、ゼロ、１つ以上のチャネルを含み、各チャネル・サブセットは、互いに異なる少なくとも１つのチャネルを含む。複数のチャネル・サブセットは、アンライセンス周波数スペクトルの複数のチャネルを含む。ステップ６０４において、方法６００は、第１のメッセージの受信に応答してＢＳに要求を送信する。要求は、ＵＥが第１のメッセージに従ってＵＥに割り当てられた第１のチャネル・サブセット内の第１のチャネルへのアクセスを要求することを示す。ＵＥは、リスン・ビフォア・トーク技術を用いて、第１のチャネル・サブセットから第１のチャネルを選択してもよい。ステップ６０６において、方法６００は、ＢＳから第２のメッセージを受信する。第２のメッセージは、少なくとも１つのＵＥが第２のメッセージに従って割り当てられたチャネルを介してＢＳと通信するために、複数のＵＥへの複数のチャネルの第２の割当を示す。
【００７７】
図７は、ホスト・デバイスにインストールされ得る、本明細書に記載の方法を実行するための実施形態の処理システム７００のブロック図を示す。示されるように、処理システム７００は、プロセッサ７０４、メモリ７０６、およびインタフェース７１０〜７１４を含み、これらは、図７に示されるようにアレンジされても（されなくても）よい。プロセッサ７０４は、計算および／または他の処理関連タスクを実行するように適合された任意の構成要素または構成要素の集合であってもよく、メモリ７０６は、プロセッサ７０４による実行のためのプログラミングおよび／または命令を記憶するように適合された任意の構成要素または構成要素の集合であってもよい。一実施形態では、メモリ７０６は、非一時的なコンピュータ読取り可能媒体を含む。インタフェース７１０、７１２、７１４は、処理システム７００が他のデバイス／構成要素および／またはユーザと通信することができる任意の構成要素または構成要素の集合であってもよい。例えば、インタフェース７１０、７１２、７１４のうちの１つ以上は、プロセッサ７０４からのデータ、制御、または管理メッセージを、ホスト・デバイスおよび／またはリモート・デバイスにインストールされたアプリケーションに通信するように適合されてもよい。別の例として、インタフェース７１０、７１２、７１４のうちの１つ以上は、ユーザまたはユーザ・デバイス（例えば、パーソナルコンピュータ（ＰＣ）など）が処理システム７００と対話／通信することができるように適合されてもよい。処理システム７００は、長期間のストレージ（例えば、不揮発性メモリなど）のような、図６に示されていない追加の構成要素を含んでもよい。
【００７８】
いくつかの実施形態では、処理システム７００は、電気通信ネットワークにアクセスしている、そうでなければその一部であるネットワーク・デバイスに含まれる。一例では、処理システム７００は、基地局、中継局、スケジューラ、コントローラ、ゲートウェイ、ルータ、アプリケーションサーバ、電気通信ネットワーク内の任意の他の装置等、無線または有線の電気通信ネットワーク内のネットワーク側デバイス内にある。他の実施形態では、処理システム７００は、移動局、ユーザ機器（ＵＥ）、パーソナルコンピュータ（ＰＣ）、タブレット、ウェアラブル通信デバイス（例えば、スマートウォッチなど）、電気通信ネットワークにアクセスするように適合された任意の他のデバイスなどの、無線または有線の電気通信ネットワークにアクセスするユーザ側デバイス内にある。
【００７９】
いくつかの実施形態では、インタフェース７１０、７１２、７１４のうちの１つ以上は、電気通信ネットワークを介してシグナリングを送信および受信するように適合されたトランシーバに処理システム７００を接続する。図８は、電気通信ネットワークを介してシグナリングを送信または受信するように適合されたトランシーバ８００のブロック図を示す。トランシーバ８００は、ホスト・デバイスにインストールされてもよい。示されるように、トランシーバ８００は、ネットワーク側インタフェース８０２、結合器８０４、送信機８０６、受信機８０８、信号プロセッサ８１０、およびデバイス側インタフェース８１２を含む。ネットワーク側インタフェース８０２は、無線または有線の電気通信ネットワークを介してシグナリングを送信または受信するように適合された任意の構成要素または構成要素の集合を含んでもよい。結合器８０４は、ネットワーク側インタフェース８０２を介した双方向通信を容易にするように構成された任意の構成要素または構成要素の集合を含んでもよい。送信機８０６は、ネットワーク側インタフェース８０２を介した伝送に適した変調搬送波信号にベースバンド信号を変換するように構成された任意の構成要素または構成要素の集合（例えば、アップコンバータ、電力増幅器など）を含んでもよい。受信機８０８は、ネットワーク側インタフェース８０２を介して受信されたキャリア信号をベースバンド信号に変換するように適合された任意の構成要素または構成要素の集合（例えば、ダウンコンバータ、低雑音増幅器など）を含んでもよい。信号プロセッサ８１０は、デバイス側インタフェース８１２を介した通信に適したデータ信号にベースバンド信号を変換する、あるいはその逆をするように適合された任意の構成要素または構成要素の集合を含むことができる。デバイス側インタフェース８１２は、信号プロセッサ８１０とホスト・デバイス内の構成要素（例えば、処理システム７００、ローカル・エリア・ネットワーク（ＬＡＮ）ポートなど）との間でデータ信号を通信するように適合された任意の構成要素または構成要素の集合を含んでもよい。
【００８０】
トランシーバ８００は、任意のタイプの通信媒体を介してシグナリングを送信および受信してもよい。いくつかの実施形態では、トランシーバ８００は、無線媒体を介してシグナリングを送信および受信する。例えば、トランシーバ８００は、セルラ・プロトコル（例えば、ロングターム・エボリューション（ＬＴＥ）など）、無線ローカル・エリア・ネットワーク（ＷＬＡＮ）プロトコル（例えば、Ｗｉ−Ｆｉなど）、任意の他のタイプの無線プロトコル（例えば、Ｂｌｕｅｔｏｏｔｈ、近距離通信（ＮＦＣ）など）等の無線電機通信プロトコルに従って通信するように適合された無線トランシーバであってもよい。そのような実施形態では、ネットワーク側インタフェース８０２は、１つ以上のアンテナ／放射素子を含む。例えば、ネットワーク側インタフェース８０２は、単一アンテナ、複数の別個のアンテナ、またはマルチ・レイヤ通信、例えば、単入力多出力（ＳＩＭＯ）、多入力単出力（ＭＩＳＯ）、多入力多出力（ＭＩＭＯ）などのために構成されたマルチ・アンテナ・アレイを含んでもよい。他の実施形態では、トランシーバ８００は、有線媒体、例えば、ツイスト・ペア・ケーブル、同軸ケーブル、光ファイバなどを介してシグナリングを送信および受信する。特定の処理システムおよび／またはトランシーバは、示された構成要素のすべて、または構成要素のサブセットのみを利用することができ、集積化のレベルは、デバイスごとに変えることができる。
【００８１】
本明細書で提供される実施形態の方法の１つ以上のステップは、対応するユニットまたはモジュールによって実行され得ると理解されるべきである。例えば、信号は送信ユニットまたは送信モジュールによって送信され得る。信号は、受信ユニットまたは受信モジュールによって受信され得る。信号は、処理ユニットまたは処理モジュールによって処理され得る。他のステップは、決定ユニット／モジュール、割当ユニット／モジュール、要求ユニット／モジュール、測定ユニット／モジュール、ＣＳＭＡユニット／モジュール、チャネル競合ユニット／モジュール、および／またはチャネル推定ユニット／モジュールによって実行されてよい。各ユニット／モジュールは、ハードウェア、ソフトウェア、またはそれらの組み合わせであってもよい。例えば、１つ以上のユニット／モジュールは、フィールド・プログラマブル・ゲートアレイ（ＦＰＧＡ）または特定用途向け集積回路（ＡＳＩＣ）のような集積回路であってもよい。
【００８２】
記載は詳細に説明されてきたが、添付の特許請求の範囲によって定義される本開示の精神および範囲から逸脱することなく、種々の変更、置換および交代がなされ得ることが理解されるべきである。さらに、開示の範囲が本明細書で説明された特定の実施形態に限定されることは意図されておらず、当業者は、この開示から、現在存在しているかあるいは後に開発されるプロセス、機械、製造、物質の組成物、手段、方法、またはステップが、本明細書に説明された対応する実施形態と実質的に同一の機能を実行するか、あるいは実質的に同一の結果を達成することができると容易に理解するであろう。従って、添付の特許請求の範囲は、その範囲内に、そのようなプロセス、機械、製造、物質の組成物、手段、方法、またはステップを含むことが意図されている。
【図１】
0006851537.tif 000006
【図２】
0006851537.tif 000007
【図３】
0006851537.tif 000008
【図４】
0006851537.tif 000009
【図５】
0006851537.tif 000010
【図６】
0006851537.tif 000011
【図７】
0006851537.tif 000012
【図８】
0006851537.tif 000013